(57)【特許請求の範囲】
【請求項１】
外面側のバックシートの上面に吸収体が設けられ、この吸収体の上面に肌面側のトップシートが設けられ、この吸収体の両側に撥水性の立ち上がり帯材が設けられ、この各立ち上がり帯材の内側縁が吸収体の上面両側を覆い、外側縁が内向きに曲げられて吸収体の下方に巻き込まれて、この吸収体の両側のバックシートの上面には通気性・親水性のサイドシートが設けられ、
上記サイドシートの内側縁が上方に立ち上げられて、立ち上がり帯材の外面に沿って設けられていることを特徴とする使い捨ておむつ。
【請求項２】
上記各立ち上がり帯材は、外側縁同士が繋がった一体物である請求項１に記載の使い捨ておむつ。
【請求項３】
上記吸収体の下面と立ち上がり帯材の外側縁との間に、通気性及び親水性若しくは撥水性の下層シートが設けられている請求項１または２に記載の使い捨ておむつ。
【請求項４】
上記吸収体の下面と立ち上がり帯材の外側縁との間に、通気性のフィルムが設けられ、このフィルムの両側縁が上方に立ち上げられて、立ち上がり帯材の内面に沿って設けられると共に、上記トップシートの両側縁が上方に立ち上げられて、フィルムの内面に沿って設けられている請求項１または２に記載の使い捨ておむつ。
【発明の詳細な説明】
【０００１】
【発明の属する技術分野】
本発明は、蒸れによる汗を効果的に吸収できる使い捨ておむつに関する。
【０００２】
【従来の技術】
従来、使い捨ておむつとしては、外面側のバックシートに接合された肌面側のトップシートの上面に吸収体が設けられると共に、この吸収体の両側に、尿等の横漏れを防止するための立ち上がり帯材（カフ）が設けられたものがある。
【０００３】
【発明が解決しようとする課題】
上記のような使い捨ておむつでは、撥水性の立ち上がり帯材の両外方部分には吸収体が無いので蒸れやすくなって汗をかき、不快感が生じるという問題があった。
【０００４】
本発明は、上記従来の問題を解決するためになされたもので、蒸れによる汗を効果的に吸収できる使い捨ておむつを提供することを目的とするものである。
【０００５】
【課題を解決するための手段】
上記課題を解決するために、本発明は、外面側のバックシートの上面に吸収体が設けられ、この吸収体の上面に肌面側のトップシートが設けられ、この吸収体の両側に撥水性の立ち上がり帯材が設けられ、この各立ち上がり帯材の内側縁が吸収体の上面両側を覆い、外側縁が内向きに曲げられて吸収体の下方に巻き込まれて、この吸収体の両側のバックシートの上面には親水性のサイドシートが設けられていることを特徴とする使い捨ておむつを提供するものである。
【０００６】
本発明によれば、吸収体の両側に設けた撥水性の立ち上がり帯材の外側縁を内向きに曲げて吸収体の下方に巻き込むと共に、この吸収体の両側のバックシートの上面に親水性のサイドシートを設けたから、立ち上がり帯材の両外方部分が蒸れて汗をかいても、この汗はサイドシートで効果的に吸収されるようになる。
【０００７】
上記サイドシートは、内側縁が上方に立ち上げられて、立ち上がり帯材の外面に沿って設けられている。
【０００８】
請求項２のように、上記各立ち上がり帯材は、外側縁同士が繋がった一体物である構成としても良い。
【０００９】
請求項３のように、上記吸収体の下面と立ち上がり帯材の外側縁との間に、通気性及び親水性若しくは撥水性の下層シートが設けられている構成とすることができる。
【００１０】
請求項４のように、上記吸収体の下面と立ち上がり帯材の外側縁との間に、通気性のフィルムが設けられ、このフィルムの両側縁が上方に立ち上げられて、立ち上がり帯材の内面に沿って設けられると共に、上記トップシートの両側縁が上方に立ち上げられて、フィルムの内面に沿って設けられている構成とすることができる。
【００１１】
【発明の実施の形態】
以下、本発明の実施の形態を図面を参照して詳細に説明する。
【００１２】
図１〜図４は第１実施形態の使い捨ておむつであり、図１は使い捨ておむつの展開状態の正面図、図２は図１のＡ−Ａ線に相当する略画的断面図、図３は使い捨ておむつの分解斜視図、図４は使い捨ておむつの使用状態の正面図である。
【００１３】
使い捨ておむつは、基本的には、外面側のバックシート１と、吸収体２と、左右一対のサイドシート３と、左右一対の立ち上がり帯材４と、肌面側のトップシート６とで構成されている。
【００１４】
上記バックシート１は、撥水性を有する合成樹脂繊維製不織布又は合成樹脂製フィルムで成形され、前腹部１Ａと後背部１Ｂとの間の股部１Ｃの両側には脚穴部１Ｄが形成されている。
【００１５】
上記バックシート１の前腹部１Ａと後背部１Ｂの上面には、幅方向に伸長状態で複数本のウェスト用弾性糸７がそれぞれ添設されていると共に、股部１Ｃの左右部には、長さ方向に伸長状態で複数本のレッグ用弾性糸８がそれぞれ添設されている。
【００１６】
このバックシート１の前腹部１Ａの下面にはフロンタルテープ９が取付けられると共に、後背部１Ｂの下面の両側には、図４に示すように、使用時にフロンタルテープ９に貼付けて、使い捨ておむつを立体的に組み立てるためのファスニングテープ１０がそれぞれ取付けられている。
【００１７】
上記吸収体２は、天然パルプ繊維、合成樹脂繊維や高吸水性樹脂材料などを混合又は積層したもので、長方形状の扁平体に成形されて外周が薄葉紙で包み込まれている。この吸収体２は、バックシート１の上面に接着されている。
【００１８】
上記左右一対の立ち上がり帯材４は、撥水性を有する合成樹脂繊維製不織布で成形され、上記バックシート１とほぼ同じ長さを有すると共に、内側縁４ａが吸収体２の上面両側を覆い、外側縁４ｂが内向きに曲げられて吸収体２の下方に巻き込まれて、吸収体２の下面とバックシート１の上面との間に接着されている。この立ち上がり帯材４の前端部分と後端部分は、吸収体２とバックシート１の前端部分と後端部分の各上面に跨って接着されて、立ち上がらないようになっている。
【００１９】
この立ち上がり帯材４の内側縁４ａの内側折り返し部には、長さ方向に伸長状態で立ち上がり用弾性糸１３が添設されている。
【００２０】
この立ち上がり用弾性糸１３及び上記各弾性糸７，８は、帯状や糸状の天然ゴム又は合成ゴムであり、各弾性糸７，８，１３の収縮力で立ち上がり用ギャザーやレッグ用ギャザー等が自然に形成されるようになる。
【００２１】
上記左右一対のサイドシート３は、親水性を有する合成樹脂繊維製不織布で成形され、上記バックシート１とほぼ同じ長さを有すると共に、バックシート１の脚穴部１Ｄに相当する部分には同形状の脚穴部３Ｄが形成されている。この各サイドシート３は、バックシート１の上面と立ち上がり帯材３の外面とに跨って接着されている。
【００２２】
具体的には、サイドシート３の外側縁３ａが外向きに曲げられてバックシート１の上面に接着されて、バックシート１との間で上記レッグ用弾性糸８とウェスト用弾性糸７とを挟み込むようになる。また、サイドシート３の内端縁３ｂが上方に立ち上げられて、立ち上がり帯材４の外面に沿って接着されている。
【００２３】
上記トップシート６は、親水性を有する合成樹脂繊維製不織布で成形され、上記バックシート１とほぼ同じ長さを有すると共に、下面が上記吸収体２の上面と各立ち上がり帯材４の内面とに跨って接着されている。
【００２４】
上記のように構成した第１実施形態の使い捨ておむつにおいては、吸収体２の両側に設けた撥水性の立ち上がり帯材４の外側縁４ｂを内向きに曲げて吸収体２の下方に巻き込むと共に、この吸収体２の両側のバックシート１の上面に親水性のサイドシート３を設けているから、立ち上がり帯材４の両外方部分が蒸れて汗をかいても、この汗は親水性のサイドシート３で効果的に吸収されるので、不快感が生じにくくなる。
【００２５】
特に、サイドシート３の内側縁３ｂを上方に立ち上げて、立ち上がり帯材４の外面に沿って接着しているから、内側縁３ｂが上方に立ち上げられている分だけ汗の吸収面積が大きくなるので快適感が向上するようになる。
【００２６】
図５〜図７は第１参考形態の使い捨ておむつであり、図５は使い捨ておむつの展開状態の正面図、図６は図５のＡ−Ａ線に相当する略画的断面図、図７は使い捨ておむつの分解斜視図である。
【００２７】
第１実施形態の使い捨ておむつと相違するのは、上記サイドシート３の内端縁３ｂが内方に延在されて、立ち上がり帯材４の外側縁４ｂとバックシート１とに接着されていると共に、上記吸収体２の下面と立ち上がり帯材４の外側縁４ｂとに、下層シート１２が接着されている構成である。この下層シート１２は、通気性及び親水性、又は通気性及び撥水性を有する合成樹脂繊維製不織布又は紙製台紙で成形されている。
【００２８】
この第１参考形態の使い捨ておむつにおいても、第１実施形態の使い捨ておむつと同様に、立ち上がり帯材４の両外方部分が蒸れて汗をかいても、この汗は親水性のサイドシート３で効果的に吸収されるので、不快感が生じにくくなる。
【００２９】
図８〜図１０は第２参考形態の使い捨ておむつであり、図８は使い捨ておむつの展開状態の正面図、図９は図８のＡ−Ａ線に相当する略画的断面図、図１０は使い捨ておむつの分解斜視図である。
【００３０】
第１実施形態の使い捨ておむつと相違するのは、上記サイドシート３の内端縁３ｂが内方に延在されて、立ち上がり帯材４の外側縁４ｂとバックシート１とに接着されていると共に、各立ち上がり帯材４は、外側縁４ｂ同士が繋がった一体物とした構成である。
【００３１】
この第２参考形態の使い捨ておむつにおいても、第１実施形態の使い捨ておむつと同様に、立ち上がり帯材４の両外方部分が蒸れて汗をかいても、この汗は親水性のサイドシート３で効果的に吸収されるので、不快感が生じにくくなる。
【００３２】
図１１〜図１３は第２実施形態の使い捨ておむつであり、図１１は使い捨ておむつの展開状態の正面図、図１２は図１１のＡ−Ａ線に相当する略画的断面図、図１３は使い捨ておむつの分解斜視図である。
【００３３】
第１実施形態の使い捨ておむつと相違するのは、上記吸収体２の下面と立ち上がり帯材４の外側縁４ｂとにフィルム１４が接着され、このフィルム１４の両側縁１４ａが上方に立ち上げられて、立ち上がり帯材４の内面に沿って接着されると共に、上記トップシート６の両側縁６ａが上方に立ち上げられて、フィルム１４の内面に沿って接着されている構成である。このフィルム１４は、通気性のフィルム（例えば微細孔を有するポリエチレンフィルム）で成形されている。
【００３４】
この第２実施形態の使い捨ておむつにおいても、第１実施形態の使い捨ておむつと同様に、立ち上がり帯材４の両外方部分が蒸れて汗をかいても、この汗は親水性のサイドシート３で効果的に吸収されるので、不快感が生じにくくなる。
【００３５】
特に、フィルム１４の両側縁１４ａを上方に立ち上げ、立ち上がり帯材４の内面に沿って接着すると共に、トップシート６の両側縁６ａを上方に立ち上げ、フィルム１４の内面に沿って接着しているから、吸収体２のサイド部分の通気性が良好になるので快適感が向上するようになる。
【００３６】
【発明の効果】
以上の説明からも明らかなように、本発明は、吸収体の両側に設けた撥水性の立ち上がり帯材の外側縁を内向きに曲げて吸収体の下方に巻き込むと共に、この吸収体の両側のバックシートの上面に親水性のサイドシートを設けたから、立ち上がり帯材の両外方部分が蒸れて汗をかいても、この汗は通気性・親水性のサイドシートで効果的に吸収されるので、不快感が生じにくくなる。また、サイドシートの内側縁が上方に立ち上げられて、立ち上がり帯材の外面に沿って設けられている構成とすれば、内側縁が上方に立ち上げられている分だけ汗の吸収面積が大きくなるので快適感が向上するようになる。
【００３７】
さらに、吸収体の下面と立ち上がり帯材の外側縁との間に、通気性のフィルムが設けられ、このフィルムの両側縁が上方に立ち上げられて、立ち上がり帯材の内面に沿って設けられると共に、上記トップシートの両側縁が上方に立ち上げられて、フィルムの内面に沿って設けられている構成とすれば、吸収体のサイド部分の通気性が良好になるので、快適感が向上するようになる。
【図面の簡単な説明】
【図１】    第１実施形態の使い捨ておむつの展開状態の正面図である。
【図２】    図１のＡ−Ａ線に相当する略画的断面図である。
【図３】    使い捨ておむつの分解斜視図である。
【図４】    使い捨ておむつの使用状態の正面図である。
【図５】    第１参考形態の使い捨ておむつの展開状態の正面図である。
【図６】    図５のＡ−Ａ線に相当する略画的断面図である。
【図７】    使い捨ておむつの分解斜視図である。
【図８】    第２参考形態の使い捨ておむつの展開状態の正面図である。
【図９】    図８のＡ−Ａ線に相当する略画的断面図である。
【図１０】  使い捨ておむつの分解斜視図である。
【図１１】  第２実施形態の使い捨ておむつの展開状態の正面図である。
【図１２】  図１１のＡ−Ａ線に相当する略画的断面図である。
【図１３】  使い捨ておむつの分解斜視図である。
【符号の説明】
１    バックシート
２    吸収体
３    サイドシート
３ａ  外側縁
３ｂ  内側縁
４    立ち上がり帯材
４ａ  内側縁
４ｂ  外側縁
６    トップシート
１２  下層シート
１４  フィルム
【図１】
0004249850.tif 000002
【図２】
0004249850.tif 000003
【図３】
0004249850.tif 000004
【図４】
0004249850.tif 000005
【図５】
0004249850.tif 000006
【図６】
0004249850.tif 000007
【図７】
0004249850.tif 000008
【図８】
0004249850.tif 000009
【図９】
0004249850.tif 000010
【図１０】
0004249850.tif 000011
【図１１】
0004249850.tif 000012
【図１２】
0004249850.tif 000013
【図１３】
0004249850.tif 000014